(57)【要約】【課題】  消灯直後再点灯する際にかかる時間を短縮させる投光機を提供する。【解決手段】  外部電力により点灯する第１および第２ランプ４１，４２を有する照明装置と、ランプを点灯させるための第１および第２ランプスイッチを備え、コンデンサ、放電ギャップ、一次側コイルと二次側コイルを有し電圧が一次側コイルに印加されたとき二次側コイルに該電圧より高い二次電圧をランプ４１，４２に印加するトランス、電気抵抗器を有する第１および第２再点灯ユニット５４，５５を備え、点灯後に高輝度点灯ランプの抵抗が電気抵抗器の抵抗より小さい場合、外部電力が二次側コイルを介しランプに供給され、点灯後にランプの抵抗が電気抵抗器の抵抗より大きい場合、外部電力が一次側コイルを介し第１および第２再点灯ユニット５４，５５に供給され、二次電圧がランプに印加されランプに電力が供給される。【選択図】        図５
2010049997.tif 000002
【特許請求の範囲】
【請求項１】
外部電源からの電力供給を受けて点灯する高輝度点灯ランプを有する照明装置と、
外部電源から前記高輝度点灯ランプへの通電をオン／オフするスイッチとを備えた投光機において、
電力を蓄電する蓄電手段と、
前記蓄電手段の端子間電圧が所定電圧に到達したときに放電を発生させる放電手段と、
一次側巻線と二次側巻線を有し、前記放電の結果得られる放電電圧が前記一次側巻線に印加されたとき、前記二次側巻線に前記放電電圧より高い二次電圧を発生させ、前記二次電圧を前記高輝度点灯ランプに印加する昇圧手段と、
前記蓄電手段、前記放電手段および前記一次側巻線と直列に接続される電気抵抗器とを備え、
前記スイッチがオンされ外部電源から前記高輝度点灯ランプへの通電が開始されたときに前記高輝度点灯ランプの電気抵抗値が前記電気抵抗器の抵抗値より小さい場合には、前記外部電源から供給される電力が前記二次側巻線を介して前記高輝度ランプに供給され、
前記スイッチがオンされ外部電源から前記高輝度点灯ランプへの通電が開始されたときに前記高輝度点灯ランプの電気抵抗値が前記電気抵抗器の抵抗値より大きい場合には、前記外部電源から供給される電力が前記蓄電手段に蓄電され、前記蓄電手段の端子間電圧が所定電圧に到達したときに前記放電手段により放電が発生し、前記放電により得られる放電電圧が前記一次側巻線に印加された結果、前記昇圧手段により前記二次電圧が発生し前記二次電圧が前記高輝度点灯ランプに印加された後、前記高輝度点灯ランプに電力が供給されるように構成されたことを特徴とする投光機。
【請求項２】
前記高輝度点灯ランプに冷却空気を吹き付ける冷却手段が設けられたことを特徴とする請求項１に記載の投光機。
【請求項３】
前記照明装置を昇降自在に支持する昇降装置と、
前記昇降装置が搭載されて移動可能な台車と、
前記台車の上面に配設されて前記蓄電手段と前記放電手段と前記昇圧手段と前記電気抵抗器が収容される収容部材とを備えることを特徴とする請求項１または２に記載の投光機。
【請求項４】
前記照明装置が、地面に固定された柱状物に着脱自在に支持され、
前記蓄電手段と前記放電手段と前記昇圧手段と前記電気抵抗器が収容される収容部材が地面の前記柱状物に近接した位置に載置されていることを特徴とする請求項１または２に記載の投光機。
【発明の詳細な説明】
【技術分野】
【０００１】
本発明は、夜間照明用に使用される投光機に関する。
【背景技術】
【０００２】
道路等の新設、修復等の工事は、交通規制等のため夜間に行われることが多く、また、工事の性質上移動が伴うため、移動性のある夜間照明として台車を備えた投光機が用いられている。このように夜間での使用を可能にする投光機では、光源として水銀ランプ、高圧ナトリウムランプ等のＨＩＤランプ（High Intensity Discharge Lamps）が用いられることが多く、特に金属蒸気中の放電によって発光するメタルハライドランプを備えた投光機（例えば、特許文献１）が周知となっている。このメタルハライドランプは、高輝度、省電力、長寿命であることがメリットとして挙げられている。
【０００３】
上述したような、メタルハライドランプを使用した従来の投光機１００の三面図を図９、また電気ブロック図を図１０に示す。図に示すように、従来の投光機１００は、第１および第２ランプ１０１，１０２、また、第１および第２ランプ１０１，１０２に安定電流を供給し、消費電力の低減が可能な第１および第２安定器１０３，１０４等で構成されており、上述した第１および第２ランプにＨＩＤランプの一種であるメタルハライドランプが用いられる。
【０００４】
【特許文献１】特開２００６−４７６３号公報
【発明の開示】
【発明が解決しようとする課題】
【０００５】
上述したようなメタルハライドランプを用いた投光機１００は、長時間点灯させると、内部が非常に高温になるためランプの電気抵抗値が非常に高い状態になり、消灯後再点灯する際に非常に高い電圧を必要とする。このため、電源スイッチを再投入しランプの再点灯を試みても、すぐには点灯させることはできず、ライトを自然冷却させ温度および電気抵抗値が下がるまで１５〜３０分程度待った後でなければ点灯しないという問題があった。
【０００６】
本発明はこのような事情に鑑みたもので、消灯直後再点灯する際にかかる時間を短縮させる投光機を提供することを目的とする。
【課題を解決するための手段】
【０００７】
上記目的を達成するために、本発明の投光機は、外部電源からの電力供給を受けて点灯する高輝度点灯ランプ（例えば、実施形態における第１ランプ４１、第２ランプ４２）を有する照明装置と、外部電源から前記高輝度点灯ランプへの通電をオン／オフするスイッチ（例えば、実施形態における第１および第２ランプスイッチ６１，６２）とを備えた投光機において、電力を蓄電する蓄電手段（例えば、実施形態におけるコンデンサ７６）と、蓄電手段の端子間電圧が所定電圧に到達したときに放電を発生させる放電手段（例えば、実施形態における放電ギャップ７２）と、一次側巻線（例えば、実施形態における一次側コイル７４）と二次側巻線（例えば、実施形態における二次側コイル７５）を有し、放電の結果得られる放電電圧が一次側巻線に印加されたとき、二次側巻線に放電電圧より高い二次電圧を発生させ、二次電圧を高輝度点灯ランプに印加する昇圧手段（例えば、実施形態におけるトランス７１）と、蓄電手段、放電手段および一次側巻線と直列に接続される電気抵抗器（例えば、実施形態における抵抗７３）とを備え、スイッチがオンされ外部電源から高輝度点灯ランプへの通電が開始されたときに高輝度点灯ランプの電気抵抗値が電気抵抗器の抵抗器より小さい場合には、外部電源から供給される電力が二次側巻線を介して高輝度ランプに供給され、スイッチがオンされ外部電源から高輝度点灯ランプへの通電が開始されたときに高輝度点灯ランプの電気抵抗値が電気抵抗器の抵抗値より大きい場合には、外部電源から供給される電力が蓄電手段に蓄電され、蓄電手段の端子間電圧が所定電圧に到達したときに放電手段により放電が発生し、放電により得られる放電電圧が一次側巻線に印加された結果、昇圧手段により二次電圧が発生し二次電圧が高輝度点灯ランプに印加された後、高輝度点灯ランプに電力が供給されるように構成される。
【０００８】
また、高輝度点灯ランプに冷却空気を吹き付ける冷却手段が設けられることが好ましい。
【０００９】
そして、照明装置を昇降自在に支持する昇降装置と、昇降装置が搭載されて移動可能な台車と、台車の上面に配設されて蓄電手段と放電手段と昇圧手段と電気抵抗器が収容される収容部材とを備えることが好ましい。
【発明の効果】
【００１０】
上記のような本発明に係る投光機によると、高輝度点灯ランプを消灯し再点灯する際には、外部電源が直接高輝度点灯ランプに供給されず、蓄電手段により蓄電され、蓄電された電圧が放電手段により放電され、放電による放電電圧が、昇圧手段により昇圧され、この昇圧された二次電圧が高輝度点灯ランプに印加されることで、高い電圧を高輝度点灯ランプに印加できるため、消灯した直後でも短時間で再点灯させることができる。
【００１１】
また、高輝度点灯ランプに冷却空気を吹き付ける冷却手段が設けられていることにより、消灯直後再点灯する際に冷却空気が高輝度点灯ランプに吹き付けられることで、高温になっているランプを短時間で冷却できることが可能になり、従来再点灯に１５〜３０分程度必要としていたところ、消灯直後４〜８分程度で再点灯することができる。
【００１２】
さらに、照明装置を昇降装置に支持させ、昇降装置を台車に搭載させ、台車の上面に蓄電手段と放電手段と昇圧手段と電気抵抗器を収容する収容部材を配設することで、投光機を容易に移動させることが可能になる。
【発明を実施するための最良の形態】
【００１３】
以下、本発明の好ましい実施形態について図面を参照しながら説明する。本発明に係る投光機１を図１に示している。この投光機１は、移動自在の台車２と、台車２上に搭載され台車２に対して上方に伸縮可能な昇降装置３と、同じく台車上に搭載され昇降装置３に支持された照明装置４と、収容部材５と、スイッチボックス６等で構成されている。
【００１４】
台車２は、左右一対の前輪２１および後輪２２、また、前後輪２１，２２の方向変換用の操向ハンドル２３、後輪２２を制動するブレーキ装置（図示せず）等が設けられている。そして、台車２上に、後に詳述する昇降装置３、収容部材５が搭載されている。また、後輪２２の左右後部に伸縮自在なアウトリガ２４が設けられており、作業を行うときには、図１に示すようにアウトリガ２４を下方に張り出して台車２を支持できるようになっている。
【００１５】
昇降装置３は、台車２上に立設固定された第１マスト３１と、第１マスト３１内に出入り自在に押嵌された第２マスト３２と、第２マスト３２内に出入り自在に押嵌された第３マスト３３、投光機１をクレーン等で吊り上げるためのハンガー３４等で構成され、この第３マスト３３の上端部に設けられた取り付け棒（図示せず）の上部に照明装置４が取り付けられている。そして、第２マスト３２および第３マスト３３は、第１マスト３１に配設されたウインチ３５のハンドル３６を回して図示しないワイヤーロープを巻き取ることにより、第３マスト３３、第２マスト３２の順に段階的に上昇し、ウインチ３５のハンドル３６を逆回転してワイヤーロープを繰り出すことにより、第２マスト３２、第３マスト３３の順に段階的に下降するようになっている。なお、ハンガー３４は、収容部材５の上部に一端が固定された２本のチェーン３７により支持されているため、ハンガー３４のみが上方に揺動しないようになっている。これにより、ハンガー３４に図示しないクレーンのフック等を引っ掛けることで、クレーン等による投光機１の吊り上げ、移送が可能になる。
【００１６】
照明装置４は、第１および第２ランプ４１，４２と、第１および第２ランプ４１，４２を支持する第１および第２ステー４３，４４と、第１および第２ランプ４１，４２の内部後方から第１および第２送風ホース４６，４７を介して冷却空気を送風するファンボックス４５、第１および第２ランプから外部に空気を排気する第１および第２フィルター４８，４９等から構成され、第１および第２ランプ４１，４２は、第３マスト３３の取り付け棒（図示せず）の左右にそれぞれ水平に並んで取り付けられる。また、後述するスイッチボックス６の操作パネル６０にある第１および第２ランプスイッチ６１，６２（図２参照）を操作することにより、点灯または消灯が可能となっている。
【００１７】
また、第１および第２ランプ４１，４２に取り付けられる電球として、図示省略するが水銀とハロゲン化金属（メタルハライド）の混合蒸気中のアーク放電による発光を利用した高輝度、省電力、長寿命の１ｋＷクラスのメタルハライドランプを使用している。
【００１８】
そして、図３に示すように、第１ランプ４１と第２ランプ４２には、互いに独立して電力が供給されており、ランプそのもの、または後に詳述する安定器５１，５２、再点灯ユニット５４，５５の故障等により、第１ランプ４１，４２が同時に消灯してしまうことを防止している。これにより、一方の系（ランプそのもの、安定器、再点灯ユニット）が故障したとしても、他方の系にその故障の影響が及ばないため、照明装置４が完全に消灯してしまうことを防止することができる。
【００１９】
また、ファンボックス４５は、冷却ファン４０を内蔵しており、図２および図３に示すように、第１または第２ランプスイッチ６１，６２のレバーを上方に押し上げオン操作したときに、冷却空気を第１および第２送風ホース４６，４７を介して第１および第２ランプの内部後方から送風し、送風された冷却空気によりランプが冷却されるとともに、空気がフィルター４８，４９から排気されるようになっている。このように、第１または第２ランプ４１，４２のいずれかを点灯させた直後から冷却空気を供給することで、点灯し続けて内部が高温になったランプを冷却できるようになっている。また、冷却ファン４０は、第１および第２ランプ４１，４２両方を消灯してからも稼働し続け、消灯直後のランプを冷却できるようになっている。なお、消灯直後に図示しないタイマーが時間の計測を開始し、消灯時から１０分後に冷却ファン４０の稼働が停止するようになっている。  
【００２０】
スイッチボックス６は、昇降装置３にネジ等の固定手段により取り付けられており、昇降装置３に対して反対側の面に、操作パネル６０が配設されている。図２に示すように、操作パネル６０には、第１ランプ４１および第２ランプ４２を点灯または消灯させるための第１および第２ランプスイッチ６１，６２が設けられており、第１および第２ランプスイッチ６１，６２のレバーを上方に押し上げオン操作するとランプに外部電力が供給され点灯し、レバーを下げオフ操作するとランプに供給されなくなりランプが消灯する。
【００２１】
収容部材５は、図４に示すように、板状のプレート部材５０と、プレート部材５０の上方を覆うカバー部材５１で構成される。プレート部材５０はネジ等の固定手段により台車２の上面に取り付けられ、カバー部材５１はプレート部材５０に対してプレート部材５０の上方を覆うように取り付けられる。これにより、プレート部材５０に配設された第１および第２安定器５２，５３と、第１および第２再点灯ユニット５４，５５とが収容部材５の内部に収容される。また、カバー部材５１は、プレート部材５０から容易に取り外すことが可能になっているため、第１および第２安定器５２，５３、または第１および第２再点灯ユニット５４，５５に容易にアクセスすることが可能になり、投光機１のメンテナンス性が向上する。
【００２２】
また、図５に示すように、電源は電源プラグ５６を通じて外部から供給され、前述した第１および第２安定器５２，５３、第１および第２再点灯ユニット５４，５５、ケーブル５７を通じて第１および第２ランプ４１，４２、またファンボックス４５に供給されるようになっている（詳細は後述する）。
【００２３】
上述した第１安定器５２は、いわゆるインバータ式安定器（電子安定器とも称される）であり、発光効率がよいインバータ式安定器を用いることで第１ランプ４１の消費電力を低減させることが可能となっている。または、銅鉄式安定器を使用してもよい。そして、図３に示すように、第１ランプスイッチ６１のレバーを上方に押し上げることで外部電源が供給されるようになっており、また、第１再点灯ユニット５４と電気的に接続されているため、第１ランプスイッチ６１のレバーを上方に押し上げオン操作を実行すると、第１安定器５２は、外部から供給された電流を安定した電流値に変換した後に第１再点灯ユニット５４に送るようになっている。なお、第２安定器５３は、図３に示すように、第１安定器５２とほぼ同様の構成となっている。
【００２４】
また、第１再点灯ユニット５４（第２再点灯ユニット５５）は、図６に示すように、トランス７１、放電を発生させるための空隙となっている放電ギャップ７２、抵抗器７３、放電ギャップ７２と直列に接続されたコンデンサ７６等で構成されており、トランス７１は、鉄芯に導線を円筒状にＮ１回巻き付けた１次側コイル７４とＮ２回巻き付けた２次側コイル７５で構成されている。放電ギャップ７２は、空隙の長さを調整することによって、放電電圧（ＧＡＰ電圧）を調整することが可能になっている。
【００２５】
また、第１再点灯ユニット５４（第２再点灯ユニット５５）に内蔵されている抵抗器７３は、第１および第２ランプ４１，４２の温度が常温に近いときに、第１および第２ランプ４１，４２の抵抗値より十分大きい電気抵抗値を得る目的で使用される受動素子であり、第１および第２ランプ４１，４２の温度が常温に近いときは、１次側コイル７４、放電ギャップ７２、コンデンサ７６には電流が流れず、第１および第２ランプ４１，４２にのみ電流が流れるようになっている。
【００２６】
以上のように構成される投光機１において照明を行うには、まず、収容部材５のカバー部材５１を閉じた状態にし、また、前輪２１、後輪２２、操作ハンドル２３により、投光機１を所望の場所に移動させ、図１に示すように、昇降装置３のウインチ３５のハンドル３６を回して照明装置４を所望の高さまで上昇させる。その後、スイッチボックス６の操作パネル６０にある第１ランプスイッチ６１または第２ランプスイッチ６２のレバーを上方に押し上げオン操作を実行すると、第１ランプ４１または第２ランプ４２を点灯させることができる。また、第１ランプスイッチ６１または第２ランプスイッチ６２のレバーを下げオフ操作を実行すると、第１ランプ４１または第２ランプ４２を消灯させることができる。
【００２７】
以下で、上記のように第１ランプスイッチ６１または第２ランプスイッチ６２のレバーを上方に押し上げオン操作を実行し第１ランプ４１または第２ランプ４２を点灯させ、また第１ランプスイッチ６１または第２ランプスイッチ６２のレバーを下げオフ操作を実行し第１ランプ４１または第２ランプ４２を消灯させる操作を行ったときの電気の流れについて説明する。なお、図３に示すように、外部電源から第１ランプ４１と、外部電源から第２ランプ４２までの構成は同じであるため、以下では第１ランプ４１を点灯または消灯するときについてのみ説明する。
【００２８】
まず、長時間消灯され第１ランプ４１の内部が常温に近くなっている状態から、第１ランプ４１を点灯するときには、第１ランプスイッチ６１のレバーを上方に押し上げオン操作を実行すると、図３に示すように、第１安定器５２に電流が流れ、第１安定器５２は、この電流を安定した電流値に変換した後に第１再点灯ユニット５４に送る。そして第１再点灯ユニット５４は、図６に示すように、そのまま２次側コイル７５を介してその電流を第１ランプ４１に送り、第１ランプ４１が点灯する。なお、このときは上述したように、第１ランプ４１の電気抵抗値より、抵抗器７３の電気抵抗値の方が大きいため、１次側コイル７４、放電ギャップ７２、コンデンサ７６には電気は流れない。また、第１ランプスイッチ６１のレバーを下げオフ操作を実行すると、図６に示す経路で第１ランプ４１に供給されていた電気が供給されなくなり、第１ランプ４１は消灯する。
【００２９】
このように、長時間消灯されランプ内部が常温に近い状態から第１ランプ４１を点灯するときには、第１ランプ４１の電気抵抗値が抵抗器７３の電気抵抗値より低い状態になっているため、第１再点灯ユニット５４の内部（１次側コイル７４、放電ギャップ７２、コンデンサ７６）に電気が流れることはない。
【００３０】
これに対して、長時間点灯させた後消灯しその直後に再点灯するときには、第１ランプスイッチ６１のレバーを上方に押し上げオン操作を実行しても、第１ランプ４１の内部の温度が非常に高い状態（３２０〜３３０℃程度）になっており第１ランプ４１の電気抵抗値が非常に大きな値となっているため、第１安定器５１からの交流電流は第１ランプ４１に流すことはできない。しかし、このときは第１ランプ４１の電気抵抗値より第１再点灯ユニット５４の内部の抵抗器７３の抵抗値の方が小さい値になっているため、第１安定器５１からの交流電流は、第１再点灯ユニット５４の内部の１次側コイル７４、放電ギャップ７２、コンデンサ７６に流れ始める。よって、１次側コイル７４に電圧が生じ、コンデンサ７６にこの電圧が印加され始める。そして、コンデンサ７６の端子電圧が上昇し、端子電圧が放電電圧（ＧＡＰ電圧）を超過した時点で放電が生じ、電磁誘導により２次側コイル７５に、巻き数に比例した二次電圧（放電電圧のＮ２／Ｎ１倍の電圧）が発生する。
【００３１】
その後、図７に示すように、２次側コイル７５から第１ランプ４１に上記電圧が印加され、第１ランプ４１が点灯する。また、図８に示すように、放電ギャップ７２により放電が行われ、第１ランプ４１が点灯した後は、コンデンサ７６に蓄えられていた電圧が急激に減衰するとともに、通電により第１ランプ４１の抵抗値が下がり、最終的には再点灯ユニットの内部の抵抗器７３の抵抗値の方が大きくなるため、１次側コイル７４、放電ギャップ７２、コンデンサ７６に電流が流れなくなる。
【００３２】
なお、上述したトランス７１の昇圧により２次側コイル７５に発生させる二次電圧は、放電ギャップ７２の空隙間距離、または、１次側コイル７４もしくは２次側コイル７５の巻き数を変えることで変更することが可能になっている。よって、理論的にはランプ消灯直後に点灯させるための非常に高い二次電圧を発生させることも可能であるが、あまりにも高い二次電圧を発生させると、ランプの損傷等の問題を引き起こす虞がある。このため、設定する二次電圧には上限を設ける必要があり、ランプの損傷等の問題が発生しない程度に高い値で二次電圧を設定すれば、消灯直後には再点灯できないものの、従来のようにランプが完全に冷えるのを待つことなく、短時間で再点灯させることができる。
【００３３】
そして、冷却ファン４０が、ランプ４１，４２両方を消灯してからも稼働し続け、消灯直後のランプを冷却できるようになっており、また、消灯直後にタイマーが時間の計測を開始し、消灯時から１０分後に冷却ファン４０の稼働が停止するようになっているため、
ランプ４１，４２の温度および電気抵抗値を低下させることができ、より効果的に再点灯させることができる。
【００３４】
上記、再点灯ユニット５４によるランプ４１，４２への二次電圧の印加と、ファンボックス４５による冷却空気の送風により、従来の投光機の再点灯においては、１５〜３０分程度の時間がかかっていたところ、本発明に係る投光機においては、４〜８分程度で再点灯することが可能となっている。
【００３５】
なお、上述の実施形態においては、全てのランプを消灯した後に冷却ファンが稼働し続ける時間を１０分に設定した例について説明したが、１０分に限られることなく、ランプ消灯後ファンが稼働し続ける時間を変更することが可能になっている。
【００３６】
以上、本実施形態では、電源として電気プラグ５６を用いて外部電源を取り入れる例について示したが、これに限られることなく、バッテリー等の蓄電機器を用いた構成であってもよい。  
【００３７】
さらに、上述の実施形態において、投光機１に構成される高輝度点灯ランプとしてメタルハライドランプを用いたが、これに限られるものではなく、高圧ナトリウムランプや水銀ランプ等の別の種類のＨＩＤランプ（High Intensity Discharge Lamps）を用いた場合にも、本発明を適用することができる。さらに、ＨＩＤランプに限らず、再点灯に時間を要するランプを用いた場合に、本発明を適用することができる。
【００３８】
また、本発明を適用する投光機として、上述の実施形態では従来型の投光機に適用した例について説明したが、これに限られることなく、空気の給排、または折り畳み機構等により膨張収縮可能なバルーン照明機等にも本発明を適用することができる。
【００３９】
さらに、本発明を適用する投光機として、上述した実施形態では、台車の上に再点灯ユニットを載置し、また昇降装置の上端にランプを有する照明装置を備えた投光機について説明したが、これに限られることなく、例えば、図９に示すように、電信柱等、地面に埋められて固定されている柱状の構造物２００に照明装置４を取り付け、安定器５２，５３および再点灯ユニット５４，５５を収容している収容部材５を地面に載置するような投光機にも本発明を適用することができる。
【図面の簡単な説明】
【００４０】
【図１】本発明に係る投光機の三面図である。
【図２】スイッチボックスの操作パネルを示す斜視図である。
【図３】上記投光機に構成される電気部品の回路ブロック図である。
【図４】収容部材の分解斜視図である。
【図５】照明装置の正面図と側面図である。
【図６】ランプを消灯してから長時間経過し常温に近い状態からランプを点灯させた際の、電流の流れを表す概略回路図である。
【図７】ランプを消灯した直後で非常に高温になっている状態からランプを点灯させた際の、再点灯ユニットにより変圧された電流の流れを表す概略回路図である。
【図８】ランプを消灯した直後非常に高温になっている状態からランプを点灯させた後、再点灯ユニットの内部に電流が流れなくなった状態を表す概略回路図である。
【図９】照明装置を地面に立設されているポールに取り付け、再点灯ユニットを地面に載置した投光機の三面図である。
【図１０】従来の投光機の三面図である。
【図１１】従来の投光機に構成される電気部品の回路ブロック図である。
【符号の説明】
【００４１】
１  投光機
２  台車
３  昇降装置
４  照明装置
５  収容部材
６  スイッチボックス
４１  第１ランプ
４２  第２ランプ
４５  ファンボックス
５２  第１安定器
５３  第２安定器
５４  第１再点灯ユニット
５５  第２再点灯ユニット
６１  第１ランプスイッチ
６２  第２ランプスイッチ
７１  トランス
７２  放電ギャップ
７４  二次側コイル
７５  一次側コイル
７６  コンデンサ
【図１】
2010049997.tif 000003
【図２】
2010049997.tif 000004
【図３】
2010049997.tif 000005
【図４】
2010049997.tif 000006
【図５】
2010049997.tif 000007
【図６】
2010049997.tif 000008
【図７】
2010049997.tif 000009
【図８】
2010049997.tif 000010
【図９】
2010049997.tif 000011
【図１０】
2010049997.tif 000012
【図１１】
2010049997.tif 000013